(57)【特許請求の範囲】
【請求項１】
並列する一対の外壁材の間の目地にシーリング材が配設された外壁構造において、前記目地の外方側端部の幅が２ｍｍ以上且つ７ｍｍ以下であり、前記シーリング材は、前記一対の外壁材に接すると共に、その表面が前記外壁材の表面よりも内方側に位置し、前記外壁材の表面から前記シーリング材の表面までの寸法である前記シーリング材の表面深さが１．５ｍｍ以上２．０ｍｍ以下であることを特徴とする外壁構造。
【請求項２】
前記外壁材の表面には凹溝が形成されており、前記シーリング材の表面は前記凹溝の底面よりも外方側に位置していることを特徴とする請求項１記載の外壁構造。
【請求項３】
前記シーリング材は弾性を有する乾式シーリング材であることを特徴とする請求項１または２記載の外壁構造。
【請求項４】
前記目地の幅は内方ほど幅広となっていることを特徴とする請求項１〜３のいずれか１項に記載の外壁構造。
【発明の詳細な説明】
【技術分野】
【０００１】
本発明は、外壁材を用いた外壁構造に関するものである。
【背景技術】
【０００２】
多数枚のパネル型外壁材を張ることで外壁を構成する場合、上下に並ぶ外壁材間については、下方側外壁材の上縁の外面側に上方側外壁材の下縁を重ねることで、または両者の対向面の間にシーリング材を介在させることで、外壁材の背後への雨水の浸入を防いでいる。
【０００３】
一方、左右に並ぶ外壁材の間の部分（縦目地）については、特許文献１に示されているように、通常、１０ｍｍほどの間隔を空けて、この部分にシーリング材（コーキング材）を充填することが行われている。
【先行技術文献】
【特許文献】
【０００４】
【特許文献１】実用新案登録第２５５３６１８号公報
【発明の概要】
【発明が解決しようとする課題】
【０００５】
この場合、縦目地が目立ちやすいものとなっている。特許文献１に示されたものでは、シーリング材の表面が外壁材の表面よりも屋外側に突出しているために、なおさら目立ちやすい。このために、シーリング材として、外壁材の表面塗装と略同じ色に着色したものを用いることで、縦目地を目立ち難くしている。
【０００６】
ところで、近年の外壁材は塗装技術の進展により表面塗装のバリエーションが増えているために、縦目地を目立ち難くするには外壁材の表面塗装のバリエーションに合わせて様々な色のシーリングを用意しなくてはならないことになる。
【０００７】
本発明は上記問題に鑑みてなされたもので、シーリング材の色のバリエーションを増やさなくともシーリング材を目立ち難くすることができる外壁構造を提供することを課題とする。
【課題を解決するための手段】
【０００８】
本発明にかかる外壁構造は、並列する一対の外壁材の間の目地にシーリング材が配設された外壁構造において、前記目地の外方側端部の幅が２ｍｍ以上且つ７ｍｍ以下であり、前記シーリング材は、前記一対の外壁材に接すると共に、その表面が前記外壁材の表面よりも内方側に位置し、前記外壁材の表面から前記シーリング材の表面までの寸法である前記シーリング材の表面深さが１．５ｍｍ以上２．０ｍｍ以下であることに特徴を有している。
【０００９】
前記外壁材の表面には凹溝が形成されており、前記シーリング材の表面は前記凹溝の底面よりも外方側に位置していることが好ましい。
【００１０】
また、前記シーリング材は弾性を有する乾式シーリング材を好適に用いることができる。
【００１１】
更に、前記目地の幅は内方ほど幅広となっていることが好ましい。
【発明の効果】
【００１２】
本発明においては、外壁材間の目地を目立たないものとすることができ、これに伴ってシーリング材の色を外壁材の色に厳密に合わせる必要がなくなるために、多様な色の外壁材に対してシーリング材の色のバリエーションを減らすことができる。
【図面の簡単な説明】
【００１３】
【図１】本発明の実施形態に係る外壁構造の一例の部分正面図である。
【図２】本発明の実施形態に係る外壁構造の一例の断面を示すもので、Ａは施工状態を示す断面図であり、Ｂは施工前の状態を示す断面図である。
【図３】本発明の実施形態の他例を示す図２Ａ相当の断面図である。
【発明を実施するための形態】
【００１４】
以下、本発明を図示の実施例に基づいて詳述すると、図示例の外壁材１は、表面に格子状の凹溝１０が形成されている横長矩形のパネルであって、その上辺と下辺とには、いわゆる相じゃくり接続のための裏実部を上辺に備えるとともに表実部を下辺に備えている。なお、これら裏実部及び表実部の構成については、周知のものであるために、ここでは図示しない。また、外壁材１は、窯業系のものであっても、金属サイディングであっても良く、その材質は問わない。
【００１５】
この外壁材１は、建物躯体の外面に所定間隔で立設されている胴縁（縦胴縁）に留金具で固定されることで建物躯体の外面を覆う。この時、上下に並ぶ外壁材１，１は、下方側の外壁材１の上辺の裏実部の表面側に上方側の外壁材の表実部が重ねられて水密的に施工される。
【００１６】
そして左右に並ぶ外壁材１，１間については、両者の間に目地を空けておき、この目地にシーリング材２を配置することで水密とするのであるが、図示例では、シーリング材２として、弾性を有する乾式シーリング材（目地ガスケット）を用いている。
【００１７】
ここにおいて、左右に並ぶ外壁材１，１間の目地の幅（外壁材１，１の外方側端部間の幅）Ｗは、２〜７ｍｍとするとともに、この目地内に位置して左右が外壁材１，１に接するシーリング材２は、その表面（外面）が外壁材１の表面よりも少しだけ奥まったところに位置するようにしてある。
【００１８】
なお、外壁材１は、寒暖によって膨張収縮することから、上記目地の幅Ｗも外壁材１の膨張収縮に伴い変化するが、上記幅Ｗが外壁材１の膨張収縮にかかわらず、常に２〜７ｍｍ内に納まるようにしておくことが望ましい。この点からすれば、施工時が夏期であれば、上記目地の幅Ｗを上記範囲内において狭めに、冬期であれば、上記目地の幅Ｗを上記範囲内において広めに、春秋期であれば、上記目地の幅Ｗを上記範囲内の中間値あたりとなるように外壁材１を施工することが望ましい。
【００１９】
また、上記外壁材１の寒暖による膨張収縮が生じても、外壁材１の側端面とシーリング材２とが密着した状態を保つように、つまりは水密状態を維持するように、弾性を有するシーリング材２を幅方向に圧縮しつつ外壁材１の施工を行う。
【００２０】
ここにおいて、外壁材１の側端面が平面であると、目地の幅Ｗを狭め（例えば２ｍｍ）に施工した場合、外壁材１が収縮して目地の幅Ｗが広がった時にも、シーリング材２が外壁材１に接して水密状態を保つような弾性をシーリング材２に持たせることは難しい。この点に鑑み、外壁材１として、図２から明らかなようにその側端面を内方側（屋内側）が傾斜面１５となっているものを用いるとともに、シーリング材２も内方側が両側方に広がって外方側（屋外側）よりも幅広となっている断面形状を持つものを用いている。
【００２１】
シーリング材２はその幅が広いほど、外壁材１の収縮による目地の幅Ｗの広がりに対応することが容易となるために、外壁材１の収縮でシーリング材２の外方側の部分が外壁材１の側端面から離れてしまうようなことが例え生じたとしても、シーリング材２の内方側の部分は、その弾性によって外壁材１の傾斜面１５に接した状態を保持するものであり、このために目地の幅Ｗを従来よりも狭くしたことが、水密状態の維持という点で新たな問題を招いてしまうことはない。図２中の３は建物躯体である。
【００２２】
なお、図３に示すように、シーリング材２の片側に位置する外壁材１の側端面だけに傾斜面１５を設けるとともに、シーリング材２の内方側が一側方のみに広がったものを用いてもよい。
【００２３】
いずれにしても、左右の外壁材１間の目地の幅Ｗを２〜７ｍｍとし、この目地に外壁材１の表面色と同系の色のシーリング材２を配置した場合、左右の外壁材１間の目地の幅Ｗが１０ｍｍ程度の場合と比して、目地（縦目地）は殆ど目立たず、良好な意匠性を保つことができる。
【００２４】
ところで、左右の外壁材１，１間の目地の幅Ｗを２〜７ｍｍとしても、この目地に配置したシーリング材２の表面が外壁材１よりも飛び出していると、目地（縦目地）が目立つことになる。また、シーリング材２の外壁材１の表面に形成された凹溝１０の底面よりも奥方に位置すると、特に日差しを斜めから受けた時、目地部分が暗い陰となって、やはり目立つことになる。
【００２５】
このために、シーリング材２の表面は、外壁材１の表面よりも奥方で且つ外壁材１が有する目地状の凹溝１０の底面よりも奥に位置しないところにくるようにしておくことが好ましい。なお、シーリング材２の表面位置は、図示例のような乾式シーリング材を用いる場合は、その高さ（奥行き寸法）Ｈで定めればよい。たとえば、凹溝１０の深さは、平均で４．０ｍｍであって、外壁材１の厚みが１６ｍｍの場合に最大で４．５ｍｍであり、また、外壁材１の厚みが１８ｍｍの場合に最大で５．０ｍｍである。そして、シーリング材２の表面深さ（外壁材１の表面からシーリング材２の表面までの寸法）は、１．５ｍｍ〜２．０ｍｍである。
【００２６】
また、左右の外壁材１，１間の目地の幅Ｗを２〜７ｍｍという従来よりも狭いものとすることは、次の点においても有利である。すなわち、前述のように目地を目立たなくするという点において、外壁材１の表面色と、シーリング材２の色とを一致させることは非常に有効である。しかし、近年の多様な色彩を持つ外壁材１の各色に合わせた色のシーリング材２を用意することはコスト的に問題となる。しかし、目地の幅Ｗを上記の値内に収めた場合、外壁材１の表面色とシーリング材２の色とが同じでなくても、ほぼ同系の色であれば、目地（縦目地）が目立ってしまうことはない。
【００２７】
ちなみに、マンセル表色系において、色相が同じである時、明度の数値の差が３以内で且つ彩度の数値差が１以内であれば、目地（縦目地）が目立つようなことは殆どないのに対して、左右の外壁材１，１間の目地の幅Ｗが１０ｍｍである時には、外壁材１の表面色と、シーリング材２の色とは、色相を同じ、明度の数値差を１以内、彩度の数値差を０．５以内にしておかないと、目地（縦目地）が目立つものとなった。ただし、この数値差の値は、特定の色相の場合であり、色相が異なれば上記数値差も変わる上に、屋外の様々な自然光の状態下で常に適用するものではない。
【００２８】
上記実施例では、シーリング材２として乾式シーリング材を用いたが、通常のシーリング材（コーキング剤）を左右の外壁材１，１間の目地に充填施工するものであってもよい。この場合においても、外壁材１の側端面に傾斜面１５を設けることは有効である。
【００２９】
また、ここでは横長矩形状の外壁材１を横張りする場合の縦目地の例を示したが、縦長矩形状の外壁材１を縦張りする場合の横目地にも適用することができるのはもちろんである。
【符号の説明】
【００３０】
１  外壁材
２  シーリング材
１０  凹溝
Ｗ  目地の幅
【図１】
0006606391.tif 000002
【図２】
0006606391.tif 000003
【図３】
0006606391.tif 000004